(57)【要約】【課題】畜舎内に設置した複数の送風装置に、該送風装置を駆動制御する制御信号を送信距離が必要以上長い場合においても、円滑に、かつ、正確に送信可能とした畜舎用送風装置を提供するものである。【解決手段】畜舎内に所定の間隔を保って複数配設した送風装置２と、前記各送風装置２に駆動電力を供給する駆動電源１と、前記畜舎内の所定位置に設けた温度検出センサ９と、前記温度検出センサ９にて検出された温度に対応して各送風装置２を同一または個別に設定した回転数により駆動制御させる温度制御手段及び前記温度検出センサ９にて検出した温度に関係なく送風装置２の回転数を任意に駆動制御する回転数制御手段を備えたコントローラ７と、更に、複数配設した送風装置２の所要の送風装置２間に挿設されて前記コントローラ７から出力される送風装置駆動制御用の制御信号が減衰したとき前記制御信号を増幅させる制御信号増幅手段２０とを具備して構成したことを特徴とする。【選択図】        図１
2004257281.tif 000002
【特許請求の範囲】
【請求項１】
畜舎内に所定の間隔を保って複数配設した送風装置と、前記各送風装置に駆動電力を供給する駆動電源と、前記畜舎内の所定位置に設けた温度検出センサと、前記温度検出センサにて検出された温度に対応して各送風装置を、同一または個別に設定した回転数により駆動制御させる温度制御手段及び前記温度検出センサにて検出した温度に関係なく送風装置の回転数を任意に駆動制御する回転数制御手段を備えたコントローラと、更に、複数配設した送風装置の所要送風装置間に挿設されて前記コントローラから出力される送風装置駆動制御用の制御信号が減衰したとき前記制御信号を増幅させる制御信号増幅手段とを具備して構成したことを特徴とする畜舎用送風装置。
【請求項２】
前記制御信号増幅手段は、制御信号の受信手段と、受信手段にて入力した制御信号の入力データ値を所定の基準データ値と比較して基準データ値より低い場合は入力データ値を演算処理して増幅する演算増幅手段と、前記増幅処理した制御信号を出力する送信手段と、前記各手段の動作タイミングを受信手段に制御信号が入力する毎に前記制御信号に合せて制御する制御手段とを具備して構成したことを特徴とする請求項１記載の畜舎用送風装置。
【請求項３】
前記制御信号増幅手段は、制御信号を受信する受信手段と、受信した制御信号の入力データ値が所定の基準データ値より減衰している場合は増幅指令を出力する機能と制御信号にノイズが混在している場合はその制御信号をノイズとともに排除する機能とを備えた制御信号の出力是正手段と、前記出力是正手段からの増幅指令にて制御信号の出力を増幅処理する出力増幅手段と、前記増幅処理された制御信号を出力する送信手段とを具備して構成したことを特徴とする請求項１記載の畜舎用送風装置。
【請求項４】
前記制御信号増幅手段は、複数配設した送風装置の所定台数毎に、該送風装置及びコントローラと直列接続して挿設するように構成したことを特徴とする請求項２，３記載の畜舎用送風装置。
【請求項５】
前記制御信号増幅手段と直列接続したコントローラは、畜舎内の温度変化を個々にパターン化して複数の温度パターンを設定し、各送風装置を、すべて畜舎内の温度に対応する温度パターンにて設定された回転数にて回転させるようにした温度制御パターンを有する一括制御自動運転機能を備えた温度制御手段と、畜舎内に設置した各送風装置の回転数を複数段階に設定し、前記各送風装置を、すべて畜舎内の温度に関係なく事前に設定した所定の回転数にて回転させるようにした一括制御手動運転機能を備えた回転数制御手段とを具備して構成したことを特徴とする請求項４記載の畜舎用送風装置。
【請求項６】
前記制御信号増幅手段と直列接続したコントローラは、畜舎内の温度変化を個々にパターン化して複数の温度パターンを設定し、各送風装置の回転数を、それぞれ個別に設定した所定の温度パターンの温度にて個別に可変制御して回転させるようにした温度制御パターンを有する個別制御自動運転機能を備えた温度制御手段と、前記畜舎内に設置した各送風装置の回転数を複数の回転数が選択できるように設定して前記各送風装置を、それぞれ個別に、かつ、温度に関係なく事前に設定した所定の回転数にて回転させるようにした個別制御手動運転機能を備えた回転数制御手段とを具備して構成したことを特徴とする請求項４記載の畜舎用送風装置。
【請求項７】
前記制御信号増幅手段を直列接続したコントローラは、畜舎内に設置した各送風装置を温度に関係なく同一回転数にて回転させる一括制御手動運転機能と、前記畜舎内の温度に関係なく各送風装置をそれぞれ個別に設定した所定の回転数にて回転させる個別制御手動運転機能とを具備して構成したことを特徴とする請求項４記載の畜舎用送風装置。
【請求項８】
前記温度制御パターンに用いる温度パターンは、温度検出センサにより検出した温度とその検出温度に対応する回転数を個々に可変制御する複数の温度パターンを具備して構成したことを特徴とする請求項５，６記載の畜舎用送風装置。
【請求項９】
畜舎内に所定の間隔を保って複数配設した送風装置と、前記各送風装置に駆動電力を供給する駆動電源と、前記畜舎内の所定位置に設けた温度検出センサと、前記送風装置の回転数を制御するコントローラと、更に、複数配設した送風装置の所要の送風装置間に挿設されて前記コントローラから出力される送風装置駆動制御用の制御信号が減衰したとき前記制御信号を増幅させる制御信号増幅手段とを具備し、前記コントローラは、畜舎内の温度変化を個々にパターン化して複数の温度パターンを設定し、各送風装置を、すべて畜舎内の温度に対応する温度パターンにて設定された回転数にて回転させるようにした温度制御パターンを有する一括制御自動運転機能及び畜舎内の温度変化を個々にパターン化して複数の温度パターンを具備し、各送風装置の回転数を、それぞれ個別に設定した所定の温度パターンの温度にて個別に可変制御して回転させるようにした温度制御パターンを有する個別制御自動運転機能を具備した温度制御手段と、畜舎内に設置した各送風装置の回転数を複数段階に設定し、前記各送風装置を、すべて畜舎内の温度に関係なく事前に設定した所定の回転数にて回転させるようにした一括制御手動運転機能及び畜舎内に設置した各送風装置の回転数を複数の回転数が選択できるように設定して前記各送風装置を、それぞれ個別に、かつ、温度に関係なく事前に設定した所定の回転数にて回転させるようにした個別制御手動運転機能を具備した回転数制御手段とを備えて構成したことを特徴とする畜舎用送風装置。
【発明の詳細な説明】
【０００１】
【発明の属する技術分野】
本発明は、畜舎内に複数配設した送風装置を畜舎内の温度や環境条件等に対応して、所定の風量が得られる回転速度での駆動を可能とした畜舎用送風装置に関する。
【０００２】
【従来技術】
従来から、例えば、牛舎，豚舎その他畜舎には、建屋の面積に応じて複数の送風装置（大形換気扇）が、例えば、天井から吊設された状態で設置されている。これは、夏場から秋にかけて家畜の暑さに対する疲労（夏ばて）を防ぐとともに、晩秋や初夏における日中と朝・夕方の温度差を解消して家畜が風邪をひかぬようにしたり、あるいは、畜舎の床に敷きつめたわらやおがくずからなる敷物を乾燥させたり、畜舎内から糞尿や家畜の体臭等から発する悪臭を屋外に排出し、常に畜舎内の飼育環境を良好に維持して家畜を良好な健康状態で飼育するために行われている（例えば、特許文献１参照）。
【０００３】
前記の畜舎用送風装置は、畜舎内をその長手方向に対して複数のブロックに仮想分割し、各ブロックの畜舎内には、舎内の環境状態を感知する温度センサ等のセンサを設置するとともに、各ブロック毎に、そのブロック内の畜舎内を換気する換気扇（送風装置）を畜舎の長手方向の側壁に設置し、各ブロック毎の換気扇の回転数を制御するインバータを各ブロック毎に設置し、各ブロック毎のセンサからのデータを目標データと比較してインバータに伝達する子シーケンサを各ブロック毎に設け、各ブロック毎に独立して換気を行うようにし、更に、畜舎内の天井壁に畜舎の長手方向に対して空気流出用のスリットを設け、換気扇から圧送空気をスリットより畜舎内に送るようにして、畜舎内全域の換気効率を良好にし、畜舎内の温度を所定温度に維持するようにしていた。
【０００４】
【特許文献】
特公平３−６２９７８号（第１〜２頁，第２図）
【０００５】
【発明が解決しようとする課題】
前述した畜舎用送風装置においては、換気扇の回転数を変化させることによって畜舎内を所定温度に維持するようにしているので、即ち、畜舎内の温度に対応して換気扇を一律の回転数で回転させるように構成されているため、例えば、畜舎内で同種の親牛ばかりを飼育したり、家畜の放牧時畜舎内には家畜が存在しないとき、更には、年間を通して温度の変化が少ない地域であれば、畜舎の換気を良好に行うことが可能である。
【０００６】
しかし、畜舎を季節により寒暖の違いが著しい場所に設置したり、親牛と子牛とを同居させて飼育したり、あるいは、畜舎内の一部にのみ家畜を収容する場合等、畜舎の設置場所から、家畜の飼育状況、季節による寒暖の差異等を勘案することなく、単に畜舎内の温度に追随させて換気扇の回転数を制御するようにしただけであるので、家畜の入れ替え時とか、家畜の成長等を考慮しての換気扇の回転数を制御するようにはなっていないため、家畜の生育に対応しての換気機能とか、前記生育をはじめ畜舎周辺の環境に対しての換気扇の回転数制御が適正に行われていないので、畜舎における換気効率が低下する等の問題があった。
【０００７】
また、多数の家畜を同一場所で飼育するために畜舎を大型化し、送風装置を例えば、５０〜６０台設置するようにした場合、前記［特許文献］においては、１個の親シーケンサにより設定、あるいは、変更したデータを畜舎内の各ブロックに設けた子シーケンサへ伝達し、これによりインバータを制御して換気扇を駆動させるようになっているため、親シーケンサから相当離れた位置に存在する子シーケンサに換気扇の回転を制御する制御信号を送信した場合、前記制御信号が送信途中で減衰し正確な制御信号の送信が難しくなり、この結果、換気扇を事前に設定した目標データによって駆動制御することができなくなるという問題があった。
【０００８】
前記の問題は、親シーケンサを数ブロック毎に設置することにより、子シーケンサへの制御信号の送信は、換気扇の設置台数が増えても、親シーケンサと子シーケンサとの間隔を制御信号が減衰しない範囲内に保つことができるので、制御信号が減衰することによって生じる弊害は排除できるものの、親シーケンサを相当数準備しなければならないため、畜舎に換気扇を設置する費用が必然的に増加し、非常に不経済であるという問題があった。
【０００９】
本発明は、前記の問題点に鑑み、畜舎に設置した複数の送風装置に、コントローラから送風装置駆動制御用の制御信号をノイズ等に妨げられることなく正確に送信して、送風装置を設定された回転数で円滑・良好に駆動させることにより、畜舎内を家畜の生育・収容に適した環境に保持するようにした、畜舎用送風装置を提供することにある。
【００１０】
【課題を解決するための手段】
請求項１記載の発明は、畜舎内に所定の間隔を保って複数配設した送風装置と、前記各送風装置に駆動電力を供給する駆動電源と、前記畜舎内の所定位置に設けた温度検出センサと、前記温度検出センサにて検出された温度に対応して各送風装置を、同一または個別に設定した回転数により駆動制御させる温度制御手段及び前記温度検出センサにて検出した温度に関係なく送風装置の回転数を任意に駆動制御する回転数制御手段を備えたコントローラと、更に、複数配設した送風装置の所要送風装置間に挿設されて前記コントローラから出力される送風装置駆動制御用の制御信号が減衰したとき前記制御信号を増幅させる制御信号増幅手段とを具備して構成したことを特徴とする。
【００１１】
請求項２記載の発明は、請求項１記載の畜舎用送風装置において、前記制御信号増幅手段は、制御信号の受信手段と、受信手段にて入力した制御信号の入力データ値を所定の基準データ値と比較して基準データ値より低い場合は入力データ値を演算処理して増幅する演算増幅手段と、前記増幅処理した制御信号を出力する送信手段と、前記各手段の動作タイミングを受信手段に制御信号が入力する毎に前記制御信号に合せて制御する制御手段とを具備して構成したことを特徴とする。
【００１２】
請求項３記載の発明は、請求項１記載の畜舎用送風装置において、前記制御信号増幅手段は、制御信号を受信する受信手段と、受信した制御信号の入力データ値が所定の基準データ値より減衰している場合は増幅指令を出力する機能と制御信号にノイズが混在している場合はその制御信号をノイズとともに排除する機能とを備えた制御信号の出力是正手段と、前記出力是正手段からの増幅指令にて制御信号の出力を増幅処理する出力増幅手段と、前記増幅処理された制御信号を出力する送信手段とを具備して構成したことを特徴とする。
【００１３】
請求項４記載の発明は、請求項２，３記載の畜舎用送風装置において、前記制御信号増幅手段は、複数配設した送風装置の所定台数毎に、該送風装置及びコントローラと直列接続して挿設するように構成したことを特徴とする。
【００１４】
請求項５記載の発明は、請求項４記載の畜舎用送風装置において、前記制御信号増幅手段と直列接続したコントローラは、畜舎内の温度変化を個々にパターン化して複数の温度パターンを設定し、各送風装置を、すべて畜舎内の温度に対応する温度パターンにて設定された回転数にて回転させるようにした温度制御パターンを有する一括制御自動運転機能を備えた温度制御手段と、畜舎内に設置した各送風装置の回転数を複数段階に設定し、前記各送風装置を、すべて畜舎内の温度に関係なく事前に設定した所定の回転数にて回転させるようにした一括制御手動運転機能を備えた回転数制御手段とを具備して構成したことを特徴とする。
【００１５】
請求項６記載の発明は、請求項４記載の畜舎用送風装置において、前記制御信号増幅手段と直列接続したコントローラは、畜舎内の温度変化を個々にパターン化して複数の温度パターンを設定し、各送風装置の回転数を、それぞれ個別に設定した所定の温度パターンの温度にて個別に可変制御して回転させるようにした温度制御パターンを有する個別制御自動運転機能を備えた温度制御手段と、前記畜舎内に設置した各送風装置の回転数を複数の回転数が選択できるように設定して前記各送風装置を、それぞれ個別に、かつ、温度に関係なく事前に設定した所定の回転数にて回転させるようにした個別制御手動運転機能を備えた回転数制御手段とを具備して構成したことを特徴とする。
【００１６】
請求項７記載の発明は、請求項４記載の畜舎用送風装置において、前記制御信号増幅手段を直列接続したコントローラは、畜舎内に設置した各送風装置を温度に関係なく同一回転数にて回転させる一括制御手動運転機能と、前記畜舎内の温度に関係なく各送風装置をそれぞれ個別に設定した所定の回転数にて回転させる個別制御手動運転機能とを具備して構成したことを特徴とする。
【００１７】
請求項８記載の発明は、請求項５，６記載の畜舎用送風装置において、前記温度制御パターンに用いる温度パターンは、温度検出センサにより検出した温度とその検出温度に対応する回転数を個々に可変制御する複数の温度パターンを具備して構成したことを特徴とする。
【００１８】
請求項９記載の発明は、畜舎内に所定の間隔を保って複数配設した送風装置と、前記各送風装置に駆動電力を供給する駆動電源と、前記畜舎内の所定位置に設けた温度検出センサと、前記送風装置の回転数を制御するコントローラと、更に、複数配設した送風装置の所要の送風装置間に挿設されて前記コントローラから出力される送風装置駆動制御用の制御信号が減衰したとき前記制御信号を増幅させる制御信号増幅手段とを具備し、前記コントローラは、畜舎内の温度変化を個々にパターン化して複数の温度パターンを設定し、各送風装置を、すべて畜舎内の温度に対応する温度パターンにて設定された回転数にて回転させるようにした温度制御パターンを有する一括制御自動運転機能及び畜舎内の温度変化を個々にパターン化して複数の温度パターンを具備し、各送風装置の回転数を、それぞれ個別に設定した所定の温度パターンの温度にて個別に可変制御して回転させるようにした温度制御パターンを有する個別制御自動運転機能を具備した温度制御手段と、畜舎内に設置した各送風装置の回転数を複数段階に設定し、前記各送風装置を、すべて畜舎内の温度に関係なく事前に設定した所定の回転数にて回転させるようにした一括制御手動運転機能及び畜舎内に設置した各送風装置の回転数を複数の回転数が選択できるように設定して前記各送風装置を、それぞれ個別に、かつ、温度に関係なく事前に設定した所定の回転数にて回転させるようにした個別制御手動運転機能を具備した回転数制御手段とを備えて構成したことを特徴とする。
【００１９】
本発明は、以上説明したように構成されているので、畜舎内に送風装置を必要に応じて多数設置した場合、コントローラから末端の送風装置に該送風装置を駆動制御する制御信号を送信した場合、前記のように、コントローラと末端の送風装置との間の距離が長くなると、前記制御信号が途中で減衰したり、あるいは、ノイズが混在して正確に送信できなくなり、この結果、送風装置は円滑に駆動制御することが難しく、即ち、設定した回転数によって回転させることができなくなる場合があったが、本発明は、多数配設した送風装置において、前記制御信号が減衰すると思われる部位に設置されて、前記減衰気味の制御信号を増幅させてコントローラから送信される減衰前の状態に復帰させるようにした制御信号増幅手段が具備されているので、前記制御信号が減衰するのを良好に回避し、コントローラから遠く離れた末端の送風装置に対しても、常に正確な制御信号を送信できるように構成したので、畜舎内に多数配設した送風装置は、１つのコントローラから出力される制御信号により、円滑・良好に駆動制御することができ、コントローラから離れた位置に配設した送風装置を事前に設定した駆動条件にて正確に駆動（回転）させることができる。
【００２０】
また、本発明においては、前記複数の送風装置を畜舎の温度や環境条件に対応して回転数を任意に設定することができることはもとより、畜舎の環境条件や飼育する家畜の種別に順応して複数の送風装置の回転数を一括・個別、あるいは、自動・手動にて任意に選択することが可能であるため、家畜を常に最適な換気条件下で飼育ができるとともに、畜舎内を家畜の親子とか体格の大・小に関係なく飼育に適した環境を維持することができるようにしたので、家畜の生育を季節に関係なく円滑・良好に行うことができる等、常に複数の送風装置を効率的に、しかも、省エネルギーにより駆動制御することが可能なため、送風装置を家畜の飼育に適した風量で円滑・良好に、かつ、経済的に駆動制御することができるという利点も備えている。
【００２１】
【発明の実施の形態】
以下、本発明の実施例を図１ないし図８によって説明する。図１は図示しない畜舎内において、本発明の送風装置を概略的に配置した構成図を示し、図１において、１は、例えば、図示しない畜舎に配設した複数の送風装置２に駆動電力を供給するための駆動電源で、商用電源、あるいは、自家用発電装置により発電した電源等からなる。そして、前記配置された複数の送風装置２は、前記駆動電源１に対してそれぞれ電力線１ａを介して並列接続されている。
【００２２】
そして、前記駆動電源１に並列接続された各送風装置２は、図１，２に示すように、電動機３に取付けた送風ファン４と、この送風ファン４を回転可能に取付けた前記電動機３を支持する送風枠体５とによって概略構成されている。６は前記駆動電源１に接続した操作盤を示し、この操作盤６は、基本的には、前記各送風装置２を一括あるいは個別に駆動制御するためのコントローラ７を内蔵して構成されている。また、図１，２に示す９は、畜舎内に取付けた温度検出センサを示し、この温度検出センサ９により検出された温度信号は、信号線９ａを介して前記コントローラ７に送出される。
【００２３】
前記操作盤６に内蔵したコントローラ７は、図３に示す操作盤６の操作部８に設けた各種スイッチ，設定キーによって任意に操作することができる。即ち、図３に示す操作部８には、送風装置２の運転／停止スイッチ２ａをはじめ、複数の各送風装置２を一括制御もしくは個別制御する一括／個別切換スイッチ２ｂ、各送風装置２を自動運転もしくは手動運転する自動／手動切換スイッチ２ｃ、各送風装置２の識別番号（以下、ＩＤ番号）・風量・後述する温度制御パターンに設けた複数の温度パターン・温度パターンの温度設定値等を個別に設定する設定キー２ｄ１，２ｄ２、前記設定キー２ｄ１，２ｄ２にて設定した設定値を確定する確定キー２ｅ、風量を表示する風量レベルの表示ランプ２ｆ、設定した温度パターンの番号（Ｎｏ）を表示する表示ランプ２ｇ、送風装置２のＩＤ番号・温度パターンの変更した温度設定値等を表示する表示器２ｈが具備されている。
【００２４】
コントローラ７は、前記操作部８に設けた各種スイッチ類，キー類を操作することにより、事前に設定したプログラムによって各送風装置２を、図示しない畜舎の環境、飼育する家畜等に対応して駆動制御させるようにしたもので、前記コントローラ７には概略次に示すプログラムが格納されている。
【００２５】
運転指令
（１）運転／停止機能
送風装置２の駆動条件等を設定した後に、スイッチ操作にて各送風装置２に通電を行い駆動させたり、停止させたりする機能を具備したプログラム。
（２）一括制御の自動運転機能
各送風装置２は、畜舎内の温度変化によって風量（回転数）を変化させる所定の温度制御パターンから送風に最適な所要の温度パターンを選択することにより、送風装置２をすべて同じ風量で、かつ、温度により風量を変化させて駆動させる機能を具備した一括制御プログラム。
（３）個別制御の手動運転機能
送風装置２毎に風量を個別に設定し、畜舎内の温度に関係なく各送風装置２を、それぞれ設定した風量で駆動させる機能を具備したプログラム。
（４）一括制御の手動運転機能
各送風装置２は、温度に関係なくすべて所定の風量で駆動させる機能を具備したプログラム。
（５）個別制御の自動運転機能
各送風装置２は、畜舎内の温度変化によって風量を変化させる所定の温度制御パターンを個別に設定し、送風装置２を個別に温度により風量を自動的に変化させて駆動させる機能を具備したプログラム。
（６）運転／停止スイッチ操作機能
送風装置２の運転中に、運転手段を変更する場合は、運転／停止スイッチ２ａを遮断しない限り、変更できない機能を具備したプログラム。
（７）駆動電源ＯＦＦ機能
送風装置２の運転中に停電等により送風装置２が運転を停止した場合、停電の復旧等により運転を再開するとき送風装置２は、運転停止前の設定条件により再始動可能とした機能を具備するプログラム。
【００２６】
操作指令
（１）一括／個別切替スイッチ切替機能
一括／個別切替スイッチ２ｂを１回押す毎に、送風装置２の運転を一括制御するためのプログラムと、個別制御するためのプログラムを交互に選択することができる機能を具備したプログラム。
（２）自動／手動切替スイッチ切替機能
自動／手動切替スイッチ２ｃを１回押す毎に、送風装置２を自動運転するためのプログラムと、手動運転するためのプログラムとを交互に選択することができる機能を具備したプログラム。
【００２７】
（３）設定キーの切替機能と確定キーによる設定条件の確定機能
設定キー２ｄ１，２ｄ２の操作により、後述する温度制御パターンに具備した所定の温度パターンと送風装置２の風量，各送風装置２のＩＤ番号，温度（送風装置２の回転数を決める温度）を個別に設定する機能を具備したプログラムと、設定値を確定キー２ｅの操作により確定させる機能を具備したプログラム。
【００２８】
前記設定キー２ｄ１，２ｄ２と確定キー２ｅ操作のプログラムは、前記一括／個別切替スイッチ２ｂ及び自動／手動切替スイッチ２ｃを機能させる各プログラムと連系し、例えば、各送風装置２の運転を一括制御で自動運転を選択した場合、設定キー２ｄ１，２ｄ２の操作は、これを１回押す毎に所定の温度制御パターンの中から所定の温度パターンを選択して設定することができる。即ち、図３に示す設定キー２ｄ２を３回押すと、温度制御パターンに設けた３番目の温度パターンを示すＰ３の表示ランプ２ｇが点灯し、温度パターンは「３」を選択したことになる。そして、この選択が正しければ、確定キー２ｅを１回押すことにより、各送風装置２の温度パターンはすべて「３」に確定される。この場合は、各送風装置２をすべて温度パターン「３」で設定された風量が得られるように駆動させる。温度パターンを変更する場合は、改めて設定キー２ｄ１，２ｄ２を操作して、所定の温度パターン（Ｐ１〜Ｐ５）の表示ランプ２ｇを点灯させることにより、設定変更が可能となる。
【００２９】
一方、各送風装置２の運転を一括制御で手動運転を選択した場合は、各送風装置２の風量レベルを選択することができる。この場合は、設定キー２ｄ１，２ｄ２を操作し、風量レベルを示す表示ランプ２ｆを所定の風量が得られる位置を選択して点灯させることにより、各送風装置２をすべて温度に関係なく、前記選択した風量レベルで駆動させる。前記設定キー２ｄ１，２ｄ２による設定が終了したら、確定キー２ｅを押動して前記設定条件を確定させる。
【００３０】
また、各送風装置２の運転を個別制御で自動運転を選択した場合は、最初に設定キー２ｄ１または２ｄ２の操作により、温度制御パターンにおいて所定の温度パターンを変更する送風装置２のＩＤ番号を表示器２ｈに表示し、表示したＩＤ番号が正しければそのＩＤ番号を確定キー２ｅを操作して確定し、次に温度パターンを前記同様設定キー２ｄ１，２ｄ２を操作して、所定の温度パターンの表示ランプ２ｇが点灯する位置に設定する。例えば、図３のＰ４の表示ランプ２ｇが点灯した位置とすれば、温度パターンは「４」が設定されたことになる。この設定でよければ、確定キー２ｅを操作し、あるＩＤ番号の送風装置２の温度パターンを「４」と設定する。この温度パターンを「４」に設定することは、後述する温度制御パターンの項目で詳述するが、温度制御パターンとは、畜舎の環境条件毎に設定したもので、１つの温度制御パターンには、本実施例では最低５つの温度パターン（１〜５）が設定されており、送風装置２の風量（回転数）を、温度検出センサ９にて検出した畜舎の温度が事前に温度パターン（「４」）にて設定した温度の範囲内に該当すると、その検出温度に対応して温度パターン「４」に事前にプログラムされた風量が設定されて、送風装置２を前記設定された温度パターン「４」の風量で駆動させる。以後残りの送風装置２を順次前記同様に１台ずつ（変更不要の送風装置２はそのままでよい。その場合、送風装置２は標準の温度制御パターンを用いて駆動することになる。）温度制御パターンに設けた複数の温度パターンから所定の温度パターンを設定することにより、各送風装置２は、それぞれ必要に応じて設定された温度パターンにより、回転数が設定されて駆動するものである。
【００３１】
更に、個別制御の手動運転を選択した場合は、設定キー２ｄ１，２ｄ２の操作により風量を変更する送風装置２を選択し、それを確定キー２ｅにより確定した後、再び設定キー２ｄ１，２ｄ２により事前に設定された風量を表示する風量レベルの表示ランプ２ｆを設定位置で点灯させることにより、送風装置２は前記点灯した表示ランプ２ｆのところに設定された風量（回転数）レベルによって駆動するように設定される。この風量レベルの設定についても、後述する風量レベルの項目で詳述するが、前記送風装置２をそれぞれ個別に風量を設定することは、各送風装置２がそれぞれ温度に関係なく、事前に設定した風量レベルにて個々に駆動させることができる。なお、風量変更を必要としない送風装置２においては、温度制御パターンの場合と同様に、風量変更を行わないことは当然である。
【００３２】
選択指令とは、各送風装置２において、前記した温度制御パターンと風量を選択する場合に必要とするもので、温度制御パターンについては図５，６で示す温度制御パターンが、それぞれ個々の複数の温度パターンをデータベース化して事前にコントローラ７の図示しない記憶手段に格納されている。また、風量の設定についても、事前に複数の風量（本例では１０段階）が選択できる風量をデータベース化して前記図示しない記憶手段に格納されている。
【００３３】
前記した温度制御パターンは、例えば、図５，６に示すように、畜舎の環境や温度に対応して送風装置２の風量を任意に選択して家畜の生育環境に即応して良好に飼育させるために設けたものである。前記温度制御パターンは、設定できる温度のパターンが本例では５種類あり、各温度パターンにはそれぞれの温度パターン毎に所定の温度範囲に応じて最小風量と最大風量が事前に設定されている。例えば、図５に示す温度制御パターンにおいて、温度パターン「１」を選択した場合、畜舎内の雰囲気温度が温度検出センサ９により検出されその温度が、例えば、０℃〜２０℃の範囲であれば、送風装置２の風量（回転数）は図５（ｂ）に示す温度と回転数の関係を示すパターン図で判るように、毎分約１００〜６００
回転の間で回転するように設定されている。
【００３４】
即ち、温度が０℃〜２０℃の間で可変する場合は、コントローラ７内に設けた図示しない演算手段により、温度が変化する毎に回転数を演算処理し、温度に適応した回転数により送風装置２を駆動させる。なお、畜舎内の雰囲気温度が０℃を下回った場合とか、逆に、２０℃を上回ったときにおいても、温度パターン「１」にて設定された最小風量及び最大風量の範囲で送風装置２を駆動させることは云うまでもない。また、温度パターン「２」，「３」を選択した場合も、最小，最大風量は、パターン選択表に示す該当する温度範囲内において、送風装置２を温度と回転数との関係を示すパターン図（以下、単にパターン図という）に示されている回転数にて得られることは云うまでもない。
【００３５】
（１）温度制御パターン（図５の場合）
この温度制御パターンは、比較的暖かい地域に設置した畜舎に送風装置２を設けた場合の温度パターンの選択表を示すもので、最小風量と最大風量との温度差は２０℃に設定されている。これは、温暖地での使用ということで温度差が大きくても余り回転数に差を設けることなく、即ち、昼間時に温度上昇が早くなることを考慮し、温度パターン「１」では２０℃に達した時点で６００回転／分し、また、０℃では１００回転／分、１０℃では約３８０回転／分するように、それぞれプログラム設定されている。これは、夏の暑さ，冬の寒さを考えてのものである。即ち、暑さ対策としては気温が上昇してから変更するのではなく、早めに低い温度パターンを選択することにより日中の温度上昇を予測して最大風量が早く得られるように設定し、逆に、寒い時期においては、比較的温度の高い温度パターンを選択することにより、低温時に最大風量が得られるのを極力遅らせることによって、風量を畜舎内の雰囲気温度に対応させるようにしたものである。
【００３６】
（２）温度制御パターン（図６の場合）
この温度制御パターンは、前記図５に示す温暖地の場合とは逆に、寒冷地の畜舎に適用するために設定した温度パターンである。この場合は、図６の（ａ），（ｂ）に示されているように、各温度パターンにおける最小風量と最大風量とが得られる温度差の範囲を１６〜２４℃内に設定し、各温度パターンにおける回転数においても、低温使用に適するように余り大きな差を設けないように設定したものである。従って、例えば、冬季においては、畜舎の雰囲気温度に余り対応させず、温度パターンの設定は最小風量を高いところの温度に設定することにより、風量が温度に追随して上昇するのを良好に制限するようにし、また、夏季においては、気温の上昇範囲を考慮し、最大の温度パターン「５」を選択した場合でも送風装置２の回転数は、温暖地に比べやや低いところに設定することにより、家畜にとって畜舎内を快適環境に維持するようにした。
【００３７】
以上説明した図５，６にそれぞれ示す温度制御パターンは、温暖地と寒冷地に設置する畜舎に適用する標準的な送風装置２の風量設定を行うための温度パターンを示すもので、温暖地と寒冷地において、風量設定を同じでなくそれぞれ使い分けができるように風量を設定することにより、送風装置２の風量制御を畜舎の設置環境に対応して行うことが可能となる。なお、温度制御パターンの設定・確定については、操作指令のところで説明したので割愛する。
【００３８】
その他のプログラム
（１）表示器２ｈに送風装置２のＩＤ番号，変更した温度パターンの温度設定値を表示させるための機能を具備したプログラム。
（２）設定キー２ｄ１を操作した場合は、数字を大→小を選択し、設定キー２ｄ２を操作した場合は、逆に数字は小→大を選択するためのプログラム。
（３）表示ランプ２ｇ，２ｆは、設定キー２ｄ１，２ｄ２を１回操作する毎に、操作により選択したランプを点灯し、選択を解除されたランプは消灯する機能を具備したプログラム。
【００３９】
なお、コントローラ７の図示しない記憶手段にデータベース化して格納した風量の選択パターンは、本実施例の場合、例えば、１０段階に設定されており、最大風量は送風装置２の回転数を約６００回転／分に設定し、最小風量は約１００回転／分に設定され、これら最大・最小の風量をベースとして、送風装置２の回転数を１０段階に、即ち、５０回転ずつ１０段階で切替えることにより、畜舎内の温度変化，あるいは、温度に関係なく風量を可変制御できるように、回転数制御手段にてプログラム設定されている。
【００４０】
次に、前記複数の送風装置２には、コントローラ７からの駆動信号にて駆動制御される制御装置１０が、図２に示すように、電動機３の背部に一体的に取付けられている。この制御装置１０は、コントローラ７からの駆動信号により内蔵されている制御プログラムが作動し、コントローラ７からの駆動指令をインバータ１２に制御信号として出力し、インバータ１２を駆動制御して電動機３をコントローラ７からの駆動指令にて運転制御する運転制御部１１と、前記インバータ１２とによって構成されている。
【００４１】
そして、前記各制御装置１０は、操作盤６のコントローラ７とは、信号線６ａを介してそれぞれ並列接続されている。各送風装置２は、コントローラ７からの駆動信号に従って運転制御部１１が作動して、インバータ１２を駆動制御して電動機３をコントローラ７にて設定した風量に相当する回転速度で回転させ、送風ファン４により事前に設定した適量の風を生成し送風する。
【００４２】
次に、図１および図７，８において、２０はコントローラ７から出力される各送風装置２駆動制御用の制御信号が減衰したとき、この減衰した制御信号を増幅して所要の送風装置２に送信する制御信号増幅手段を示し、この制御信号増幅手段２０は、制御信号を送信する信号線６ａに、所要の送風装置２間に適宜挿入して設置されている。
【００４３】
畜舎内に配設される送風装置２は、飼育する家畜（例えば、肉牛の場合）を数百頭単位で収容する畜舎においては、３０〜６０台以上設置する場合がある。このように、大規模な畜舎では家畜の飼育頭数に応じて多数の送風装置２を設置する関係上、コントローラ７から出力される送風装置駆動制御用の制御信号は、コントローラ７から遠く離れた場所に設置されている送風装置２に送信する場合、送信途中で減衰して正確に送信できなかったり、あるいは、途中でノイズが侵入したりして送風装置２を駆動制御する制御信号を所定の設定条件（回転数制御の信号）で送信できなくなることがあった。このような場合、送風装置２は制御不能となり、コントローラ７により設定した回転数で駆動させることができなくなるという問題が当然発生する。
【００４４】
このため、前記した制御信号増幅手段２０をコントローラ７からの制御信号を送信する信号線６ａに所定数設置することにより、制御信号の減衰に伴う弊害を良好に解消するものである。図７は本発明の制御信号増幅手段２０の概略構成を示すものである。
【００４５】
図７において、制御信号増幅手段２０は、コントローラ７からの制御信号を受信する受信手段２１と、前記受信手段２１に入力された減衰した制御信号を所定の電圧値（レベル）まで増幅させ、かつ、制御信号の波形を成形するための演算増幅手段２２と、前記増幅、かつ、波形成形した制御信号を出力する送信手段２３と、更に、前記受・送手段２１，２３と演算増幅手段２２を制御信号の有・無によってＯＮ・ＯＦＦ制御させるための制御手段（スイッチング手段）２４とによって概略構成されている。
【００４６】
そして、前記制御信号増幅手段２０を構成する受信手段２１と送信手段２３は、例えば、入力インターフェースと出力インターフェースによって構成し、また、演算増幅手段２２は演算増幅器を用いて構成する。更に、入・出力インターフェースや演算増幅器を制御信号の有・無によってＯＮ・ＯＦＦ制御する制御手段２４は、例えば、トランジスタ等の電子式のスイッチング素子によって構成されている。
【００４７】
そして、前記制御信号増幅手段２０は、ある送風装置２の制御信号が減衰した状態で入力された場合、この減衰した制御信号の電圧値（レベル）を増幅（上昇）させ、前記送風装置２にコントローラ７にて設定された回転数の制御信号を送信し、送風装置２を事前に設定した条件（回転数）にて駆動させるものである。
【００４８】
次に、本発明の動作について説明する。送風装置２は、図１に示すように、図示しない畜舎に複数台、例えば、一定の間隔を保って横方向に、１または複数列に設置（吊設）した実施例（この配置に限定するものではない）について説明する。
【００４９】
最初に、畜舎に設置した複数の送風装置２の運転制御について説明する。送風装置２の運転制御は、操作盤６に設けた操作部８の操作スイッチ類、設定キー等を畜舎の環境条件を勘案して操作することにより、複数の送風装置２の運転制御を行うものである。送風装置２の運転制御に先立ち、送風装置２を駆動制御する操作盤６には、送風装置２を畜舎内の温度に対応して、あるいは、温度に関係なく風量を自動制御するコントローラ７が具備されており、このコントローラ７には、畜舎の設置場所に適合する温度制御パターンを備えた温度制御手段と、送風装置２の風量を適宜可変するための回転数制御手段とが、前記コントローラ７を構成する図示しない制御手段（主に、送風装置２をプログラム設定した条件にて駆動・停止させる機能を備えた手段），記憶手段（主に、畜舎の温度や送風装置２の回転数に係るデータベースを格納して、制御手段に任意に選択させる機能を備えた手段），表示手段（制御手段の動作状況を表示させる各スイッチのランプとか、表示ランプ２ｆ，２ｇ，表示器２ｈを点・消灯させる機能を備えた手段）に具備されている。
【００５０】
そして、本発明においては、例えば、図６に示す温度制御パターンをコントローラ７の図示しない記憶手段に組み込んだ寒冷地標準使用のコントローラ７を備えた操作盤６により複数の送風装置２を駆動制御する場合について説明する。図６に示す温度制御パターンは、送風装置２を寒冷地にて使用する場合の一例で、寒冷地は夏は一般に涼しく、冬は寒いため送風装置２は、これらを考慮してその風量を温暖地使用（図５参照）に比べて、低く（低回転数）設定されている。
【００５１】
前記寒冷地使用の温度制御パターンを組み込んだコントローラ７にて、複数の送風装置２を駆動制御する場合、前記送風装置２の駆動制御には既に前述したように、４つの制御方式があり、どの方式を選択するかについては、季節や家畜の種類・収容頭数、その日の天候（温度・湿度）等を考慮して使用者が判断することになる。
【００５２】
例えば、図４のフローチャート図に示すように、ステップＳ１により複数の送風装置２の運転手段（運転制御機能）を選択（設定）する場合は、ステップＳ１４により運転／停止スイッチ２ａの状況を把握し、停止中の場合はステップＳ２に移行して複数の送風装置２を一括制御するか、個別制御するかを判断し、一括制御を選択する場合はステップＳ３に移行し、図３に示す一括／個別切替スイッチ２ｂを例えば、１回押して一括制御運転を設定する。つづいて、図４に示すステップＳ４に移行し、前記一括制御運転において複数の送風装置２を自動制御運転するか、手動制御運転するかを判断し、自動制御運転を選択した場合は、図３に示す自動／個別切替スイッチ２ｃを１回押し自動制御運転を設定する。
【００５３】
なお、図３において、一括制御に代えて図４に示すステップＳ５の個別制御運転を選択する場合は、一括／個別切替スイッチ２ｂを例えば、２回押すことにより、ステップＳ５に移行して個別制御運転を設定する。前記個別制御運転を設定した後、自動／手動切替スイッチ２ｃを操作し（１回の押動操作は自動制御運転、２回の押動操作は手動制御運転）、ステップＳ６に移行して複数の送風装置２の運転制御を自動で行うか、手動制御により駆動制御するかを決定する。
【００５４】
前記のように、図４に示すステップＳ４において自動制御運転を選択した場合は、図３の設定キー２ｄ１，２ｄ２，確定キー２ｅを順次操作し、例えば、図６の（ａ）に示すパターン選択表から所定の温度パターンをステップＳ７に移行して選択する。一方、ステップＳ４で手動制御運転を選択した場合は、ステップＳ９により複数の送風装置２の回転数を設定する。前記ステップＳ７，Ｓ９による設定は、すべて設定キー２ｄ１，２ｄ２，確定キー２ｅにより所定事項を設定した後、その設定事項を確定キー２ｅを操作して確定する。ステップＳ８は前記４つの制御運転から選択した１つの制御運転において設定した事項を表示する手段を示し、図３に示す表示ランプ２ｆは、一括制御の手動運転時に送風装置２の風量設定レベルを表示し（自動運転時は消灯）、表示ランプ２ｇは、一括、個別制御の自動運転時、または温度パターン設定時にその設定Ｎｏ．を表示し（手動運転時は消灯）、更に、表示器２ｈは、送風装置のＩＤ番号・温度パターンを変更する場合の温度設定値を表示するものである。また、ステップＳ６により自動制御運転を選択したときは、ステップＳ１０に移行し、一方、手動制御運転を選択したときはステップＳ１１に移行し、それぞれ前記のように、設定キー２ｄ１，２ｄ２及び確定キー２ｅを用いて、所定の温度パターンや回転数の設定事項を選択し確定する。
【００５５】
前記のようにして複数の送風装置２の運転手段を確定（４つの運転制御機能のうち１つを選択し確定した場合）した後、ステップＳ１２において図３に示す運転／停止スイッチ２ａを押して、複数の送風装置２を前記設定した運転制御機能により制御し駆動させる。送風装置２の運転を終了するときは、ステップＳ１３において運転／停止スイッチ２ａを押すことにより、複数の送風装置２の運転をすべて停止させるものである。
【００５６】
次に、前記４つの運転制御機能における操作を図３により説明する。ここで説明する４つの運転制御機能については、既に構成の段階で概略的に説明したので、詳細説明は省略する。最初に、複数の送風装置２の回転制御において、一括自動制御運転を選択した場合は、図３に示す一括／個別切替スイッチ２ｂを１回投入して確定し、つづいて、自動／手動切替スイッチ２ｃを１回投入して自動運転を確定する。前記の確定は、各スイッチ２ｂ，２ｃに併設した表示ランプの点灯により行う。次に、図３に示す設定キー２ｄ１，２ｄ２と確定キー２ｅとを用いて、図６（ａ）の温度制御パターンによって所定の温度パターン（例えば、〔１〕）を選択しそれを確定した後、運転／停止スイッチ２ａを投入して複数の送風装置２を前記設定された温度制御パターンの選択した温度パターン〔１〕に従って、すべて同一風量（回転数）が得られるように回転数を制御して駆動させる。
【００５７】
つづいて、複数の送風装置２の回転制御において、一括手動制御運転を行う場合は、一括／個別切替スイッチ２ｂを操作（１回押す）し、かつ、自動／手動切替スイッチ２ｃを操作（２回押す）して手動運転を確定する。この後、設定キー２ｄ１，２ｄ２，確定キー２ｅを用いて、複数の送風装置２の風量（回転数）を事前に設けた複数の風量レベルの中から、所定の風量が得られる風量レベルを選択して確定する。前記風量の設定が終了したら、運転／停止スイッチ２ａを投入して複数の送風装置２をすべて前記設定した風量が得られる回転数に制御して駆動する。
【００５８】
また、複数の送風装置２の回転制御において、個別自動制御運転を選択した場合は、設定キー２ｄ１，２ｄ２を用いて複数の送風装置２毎に温度制御パターンに設けた所定の温度パターンを選択して設定する。これは、畜舎内に配設した送風装置２の配設場所の温度とか、家畜の種類、畜舎内の乾・湿状況等に応じて、複数の送風装置２を個々に風量を任意に選択して設定することにより、家畜の飼育状況や不用の送風装置２の運転を停止させる等、畜舎の環境を良好に維持するためである。
【００５９】
更に、複数の送風装置２を畜舎内の温度に関係なく、送風装置２を個別に風量を設定するようにした個別手動制御運転を選択した場合は、送風装置２毎に所定の風量をそれぞれ設定キー２ｄ１，２ｄ２を用いて個別に設定する。これは、畜舎内の特定場所が、例えば、非常に暑いとか、風通しの悪い場所とか、湿気が非常に多い場合等、畜舎内において環境に大きな差異が生じている場合、その場所に設置した送風装置２のみを他の場所に配置した送風装置２に比べ、風量を可変することにより、畜舎の環境をバランス良く維持するため等に用いるものである。
【００６０】
以上説明したように、畜舎に配設した複数の送風装置２を駆動する場合、操作盤６の操作部８に設けた各種スイッチ，設定キー等を操作して複数の送風装置２を所定の運転制御機能にて運転させるものである。その際に選択する運転制御機能については、畜舎の環境や収容する家畜の種類や頭数を考慮して使用者が判断するものである。
【００６１】
そして、今、例えば、畜舎が寒冷地に設置されておれば、操作盤６のコントローラ７には、図６に示す寒冷地に適した温度制御パターンのプログラムを組み込んだ温度制御手段，回転数制御手段が標準品として具備されている。このため、畜舎の複数の送風装置２の運転に際しては、使用者はその日の天候、収容する家畜の頭数、種類、運転を停止する送風装置２等を考慮して運転制御機能を選択して設定すればよい。
【００６２】
複数の送風装置２の運転に際し、例えば、天候は晴、気温は午前は約０〜１０℃、午後は１０〜１５℃で、かつ、収容する家畜は畜舎の収容定数とした場合、送風装置２の運転手段は、一括自動制御運転を選択したとする。この制御運転を選択した場合、その操作は既に説明したように、一括／個別切替スイッチ２ｂを操作して一括制御にセットし、次に自動／手動切替スイッチ２ｃを操作して自動制御運転を選択する。つづいて、設定キー２ｄ１、または２ｄ２を操作し、図６（ａ）に示すパターン選択表においてその日の気温の状況から判断し、温度パターン〔１〕を選択し、確定キー２ｅにて確定する。この選択は表示ランプ２ｇに表示される。この後、運転／停止スイッチ２ａを投入することにより、複数の送風装置２は一斉に駆動する。
【００６３】
送風装置２が駆動した時点の気温（温度検出センサ９により検出した温度）が、例えば５℃とすれば、図６（ｂ）に示すパターン図に記した〔１〕にて判るように、各送風装置２はすべて約２００回転／１分間で回転していることになる。即ち、２００回転／分の風量が得られることになる。そして、時間の経過により気温が順次上昇し、例えば、１０℃となったとき、各送風装置２の風量（回転数）は約３００回転／分に上昇する。これは既に説明したように、気温の上昇に追随して送風装置２の電動機３の回転数を制御するプログラムから作動して風量を自動的に上昇させるものである。
【００６４】
前記は一例としての温度制御パターンにおいて、温度パターンを〔１〕に設定した場合について説明したが、これは、送風装置２を運転する状況に応じて、温度制御パターンの温度パターン〔１〕〜〔５〕を任意に選択することにより、その温度パターンに応じた風量が得られることは、図６（ｂ）に示すとおりである。このように、畜舎内の複数の送風装置２を運転制御する場合、前記のように、畜舎の環境を把握し、環境に適応した送風装置２の風量を設定すれば、畜舎内の環境は容易に家畜の飼育に適した状態で維持することができる。
【００６５】
次に、畜舎内に設置した複数の送風装置２において、所要の送風装置２間に挿入設置した制御信号増幅手段２０について説明する。複数の送風装置２を１台のコントローラ７により制御するには、送風装置２の台数を限定する必要がある。即ち、コントローラ７から出力される各送風装置２の制御信号は、一定の送信距離を過ぎると減衰してコントローラ７からの制御信号を正確に送信できなくなり、送風装置２は最悪の場合制御不能となる。
【００６６】
この問題を解決するには、本明細書［従来の技術］の欄で説明したように、送風装置２の所定台数毎にこれを制御するコントローラを設置して制御信号の減衰を回避する方策が取られている。しかし、前記の方策では送風装置２の設置台数が増加すればするほどコントローラの数も必然的に増やす必要があるが、これでは送風装置２の設置コストを上昇させるという問題があった。
【００６７】
本発明においては、前記の問題を解消するのに、図２，７に示すように、送風装置２を所定台数設置する毎に制御信号増幅手段２０を挿設し、この制御信号増幅手段２０によって制御信号の減衰を是正し、所要の送風装置２にコントローラ７により設定した条件（送風装置２の回転数）の制御信号を増幅して送風装置２を円滑・良好に駆動制御するようにしている。
【００６８】
即ち、図７，８に示すように、例えば、送風装置２のＮｏ．２０とＮｏ．２１の間の信号線６ａには、制御信号増幅手段２０が設置されている。そして、コントローラ７からは常時各送風装置２（この場合、Ｎｏ．１の送風装置２からＮｏ．２０の送風装置２を指す）に送信される制御信号の出力波形は、例えば、図８のＥ時点（Ｎｏ．２１の送風装置２に送信される制御信号を示す）においては、制御信号増幅手段２０が設置されていない場合（図８のＸ矢視参照）、コントローラ７から出力された時点に比べて相当減衰しており、この状態では、Ｎｏ．２１の送風装置２に送信されても制御信号としては役に立たず、Ｎｏ．２１の送風装置２を制御することは困難となる。この現象は前記したように、コントローラ７からＮｏ．２１の送風装置２までの距離が長くなり、制御信号の出力が低下（減衰）することに他ならない。
【００６９】
このため、本発明においては、あらかじめ、制御信号が減衰して所要の送風装置２に、これを駆動制御するための制御信号を送信しても、制御信号としての役目が果たせない程度に出力波形が低下した部位に制御信号増幅手段２０を設置し、出力低下した制御信号の出力波形を増幅し、所要の送風装置２に送信して該送風装置２を正常に駆動制御させるようにしたものである。
【００７０】
即ち、コントローラ７から送信されたＮｏ．２１の送風装置２を駆動制御する制御信号は、図８において、Ｅ時点ではＸ矢視で示すように相当減衰しているものの、図７に示す制御信号増幅手段２０を通って出力されると、図８のＹ矢視図で示す如く、Ｎｏ．２１の送風装置２に送信される制御信号（Ｅ時点で示す信号）は、Ｎｏ．２１の送風装置２にこれを正常に駆動制御する制御信号として増幅されて送信され、Ｎｏ．２１の送風装置２をコントローラ７にて設定された制御条件により駆動するものである。
【００７１】
前記Ｎｏ．２１の送風装置２に送信される制御信号の増幅については、前記のように、減衰（出力低下）した制御信号が制御信号増幅手段２０に入力されると、図７に示すように、制御手段２４がＯＮして受信手段２１から入力された制御信号は、演算増幅手段２２によって所定の電圧値（レベル）まで増幅されて、送信手段２３よりＮｏ．２１の送風装置２に正常な制御信号として送信され、同送風装置２をコントローラ７にて設定した条件で駆動制御することができるものである。
【００７２】
一方、制御信号増幅手段２０を設置しない場合、前記Ｎｏ．２１の送風装置２に送信される制御信号が図８のＥ時点で示すＸ矢視の場合、制御信号自体が減衰して制御信号としての役目を果たすことができない。即ち、減衰した状態で送風装置２に入力されるものの制御信号としての役目を果たせないため、送風装置２は内蔵する制御装置１０が前記減衰した制御信号を無視し、事前に設定されている標準的な条件（コントローラ７による回転数の設定変更前の回転数）で回転させることになる。また、前記Ｎｏ．２１の送風装置２の制御信号にノイズ（雑音等）が侵入した場合、前記送風装置２は一時的にノイズが消滅するまで制御不能の状態で回転することになる。前記ノイズによる現象は、Ｎｏ．２１の送風装置２以外の他の送風装置２の回転数を制御する制御信号に伝播された場合も同様である。
【００７３】
このように、Ｎｏ．２１の送風装置２に送信される制御信号は、たとえ図８のＥ時点で制御信号として役目を果たすことができないほど減衰していたとしても、本発明においては、制御信号増幅手段２０により、制御信号としての役目を果たすことができるように、即ち、コントローラ７から出力されたときと同じ出力波形に増幅してＮｏ．２１の送風装置２に送信することができるので、前記送風装置２はコントローラ７で設定された条件で正確に駆動制御することが可能となる。
【００７４】
また、送風装置２において、図８のＮｏ．２２以降の送風装置２に送信される制御信号、即ちＮｏ．２２〜Ｎｏ．４０の送風装置２にそれぞれ送信される制御信号は、すべて前記Ｎｏ．２０とＮｏ．２１の送風装置２の間に挿設した制御信号増幅手段２０を通過することにより、Ｎｏ．２１の送風装置２に送信される制御信号と同様に増幅されて所要の送風装置２に送信されることは云うまでもない。
【００７５】
前記制御信号増幅手段２０の存在により、本来ならばＮｏ．２１の送風装置２以降の送風装置２に送信される制御信号は、図８に示すように、Ｆ時点以降（Ｇ，Ｈ）制御信号はほとんどＸ矢視で示すように減衰して制御信号の体をなしていないが、制御信号増幅手段２０を通過することにより、Ｙ矢視で示すように、Ｎｏ．２２以降の送風装置２に送信される制御信号の波形は、コントローラ７から出力されたときと同じように増幅されて送信することができるので、Ｎｏ．２２以降の送風装置２はコントローラ７にて設定された駆動条件の制御信号に駆動制御されて円滑・良好に回転することができる。
【００７６】
そして、Ｎｏ．４１の送風装置２に送信される制御信号は、前記制御信号増幅手段２０により増幅されたにもかかわらず、再び減衰して制御信号の役目を果たせなくなるものの、Ｎｏ．４０とＮｏ．４１との間に挿設した制御信号増幅手段２０ａにより再び増幅されて送信されるため、Ｎｏ．４１の送風装置２は正常な制御信号が入力される結果、Ｎｏ．４１の送風装置２と同じように、コントローラ７により設定された条件で円滑に回転することができる。
【００７７】
このように、本発明においては、畜舎内に複数台設置した送風装置２にコントローラ７にて設定した条件での制御信号を正確に所要の送風装置２に送信することを可能としたので、コントローラ７から遠く離れた位置に設置した送風装置２に対しても、信号線６ａの所定位置毎（制御信号が減衰して送風装置２を駆動制御できなくなる地点）に制御信号増幅手段２０，２０ａ…を設置して減衰（出力低下）した制御信号を正常に増幅させて、所要の送風装置２に送信できるように構成されているので、各送風装置２はすべて円滑・良好にコントローラ７にて設定された条件により駆動制御することができる。
【００７８】
なお、前記信号線６ａの所要位置に設置した第１の制御信号増幅手段２０，２０ａの前に配設されているＮｏ．１〜Ｎｏ．２０までの送風装置２、及びＮｏ．２１〜Ｎｏ．４０までの各送風装置２においては、コントローラ７からの制御信号、あるいは、制御信号増幅手段２０，２０ａにおいて増幅された制御信号により正常に駆動制御されて、円滑に回転していることは云うまでもない。また、前記制御信号増幅手段２０，２０ａは、本例の場合、畜舎に配設した送風装置２の２０台目毎に挿設されているが、これはあくまで一例に過ぎず、畜舎に配設する送風装置２の数量、配設距離等を考慮して制御信号が減衰してその機能を果たすことができない部位を事前に把握して、設置台数と合わせて挿設することは当然である。
【００７９】
次に、本発明の第２実施例を図９，１０において説明する。図９は本発明の第２の制御信号増幅手段３０を概略的に示すもので、基本的な構成は第１実施例で説明した第１の制御信号増幅手段２０とほぼ同じである。第１の制御信号増幅手段２０と異なる点は、第１の制御信号増幅手段２０が制御手段２の役割を、受信手段２１，演算増幅手段２２，送信手段２３をＯＮ・ＯＦＦ制御する機能を備えて構成したのに対し、第２の制御信号増幅手段３０は出力是正手段３１を、受信手段３２にて入力した制御信号を記憶するための、例えば、シスト・レジスタと前記記憶した制御信号が正常か異常かを判別するコンパレータとを組合せて構成し、前記制御信号が異常の場合、例えば、ノイズが侵入しているようなときは、制御信号を自動的に消去して異常な制御信号を所要の送風装置２に送信しない機能を具備した点にある。
【００８０】
前記第２の制御信号増幅手段３０は、その出力是正手段３１以外の受信手段３２，出力増幅手段３３，送信手段３４については、第１の制御信号増幅手段２０の要部を構成する受信手段２１，演算増幅手段２２，送信手段２３と同様であり、かつ、挿設場所も同じでよいので、説明は省略する。
【００８１】
本発明の第２実施例における第２の制御信号増幅手段３０においては、第１の制御信号増幅手段２０と同様に、コントローラ７から第２の制御信号増幅手段３０の後側に配設した送風装置２に送信される各制御信号が、減衰した場合は出力増幅手段３３により正常な制御信号と同様に増幅され、所要の送風装置２に送信し、送風装置２をコントローラ７により設定した条件にて駆動制御して正常に回転させることができる。
【００８２】
また、第２の制御信号増幅手段３０により増幅を行うための制御信号にノイズが侵入していた場合、このノイズは出力是正手段３１に組み込んだ、例えば、コンパレータにより異常信号と判別されて、制御信号そのものが消去（図１０のＺ参照）される結果、前記ノイズが侵入していた制御信号を受信する送風装置２においては、制御信号自体が前記のように、消去されるため、コントローラ７からの制御信号にての駆動制御は行えず、コントローラ７にて設定（変更）する前の条件で駆動制御されて回転する。
【００８３】
一方、前記ノイズが侵入した制御信号以降に送信される制御信号については、前記のように、ノイズを含む制御信号が強制的に消去されることによって、ノイズそのものがなくなることにより、ノイズによる弊害が良好に排除されるので、前記ノイズとともに消去された制御信号以降の制御信号（図１０のＮｏ．２１〜Ｎｏ．４０，Ｎｏ．４１〜）、即ち、第２の制御信号増幅手段３０，３０ａ以降に配設した所要送風装置２に、それぞれ送信される制御信号は、図１０にＹ矢視で示すように、前記第２の制御信号増幅手段３０，３０ａにより正常に増幅されて所要送風装置２を、コントローラ７にて設定した条件で円滑・良好に駆動制御して回転することが可能となる。
【００８４】
以上説明したように、本発明においては畜舎内に多数の送風装置２を配設した場合においても、コントローラ７から送信される制御信号が減衰と考えられる部位には、制御信号を増幅させたり、ノイズを含む制御信号を消去することを可能とした制御信号増幅手段２０，３０がそれぞれ具備されているので、送風装置２がたとえ多数配設された畜舎においても、送風装置２はその取付け位置に関係なく、常に正確な制御信号の送信を受けて正常に回転することができる。
【００８５】
【発明の効果】
本発明は以上説明したように、畜舎に配設した複数の送風装置を畜舎の温度や環境条件に対応して回転数を任意に設定することができることはもとより、畜舎の環境条件や飼育する家畜の種別や頭数に対応して複数の送風装置の回転数を一括・個別、あるいは、自動・手動制御運転にて任意に選択して運転できるように構成したので、家畜を常に最適な環境条件下で飼育ができるとともに、畜舎内を家畜の親子とか多・少に関係なく飼育に適した環境に維持することができるので、家畜の生育を季節とか場所に関係なく円滑・良好に行うことができるとともに、常に複数の送風装置を効率的に、しかも、省エネルギーにより駆動制御することが可能となり、送風装置を家畜の飼育に適した最適な風量で円滑・良好に、かつ、経済的に駆動制御することができる。
【００８６】
また、本発明においては、畜舎内に送風装置を必要に応じて多数設置した場合、コントローラから末端の送風装置に制御信号を送信した場合、コントローラと末端の送風装置との間の距離が必要以上に長くなると、前記制御信号が途中で減衰したり、あるいは、ノイズが混入したりして正確に送信できなくなり、送風装置を設定した回転数の条件で回転させることが難しくなる場合があったが、本発明は、多数配設した送風装置において、前記制御信号が減衰すると思われる部位に設置した送風装置の近傍に、制御信号を増幅させて減衰前の状態に復帰させるようにした簡素な構成の制御信号増幅手段が所定数具備されているので、前記制御信号の減衰を良好に回避し、コントローラから遠く離れた送風装置に常に正確な制御信号を送信するように構成したので、畜舎内に多数配設した送風装置は、１つのコントローラから出力される制御信号により、円滑・良好に駆動制御することが可能となり、コントローラから離れた位置に配設した送風装置においても、事前に設定した駆動条件にて正確に駆動（回転）させることができることはもとより、１台のコントローラにより多数の送風装置を駆動制御することが可能となるため、送風装置の駆動制御を円滑・良好に、かつ、経済的に行うことができる。
【図面の簡単な説明】
【図１】本発明の畜舎用送風装置の配置状況の一例を示す概略構成図である。
【図２】本発明の送風装置に使用するコントローラと制御信号増幅手段の配置状況を概略的に示すブロック図である。
【図３】操作盤の操作部を示す正面図である。
【図４】本発明装置の駆動制御動作を概略的に説明するフローチャート図である。
【図５】温暖地で使用する温度制御パターンの一例を示すもので、（ａ）はパターン選択表を示し、（ｂ）は温度と回転数の関係を示すパターン図である。
【図６】寒冷地で使用する温度制御パターンの一例を示すもので、（ａ）はパターン選択表を示し、（ｂ）は温度と回転数の関係を示すパターン図である。
【図７】本発明の制御信号増幅手段の概略構成を示す説明図である。
【図８】制御信号増幅手段を用いた場合と、用いない場合のコントローラから出力される制御信号の波形を比較して説明するための説明図である。
【図９】制御信号増幅手段の第２実施例を示す概略構成図である。
【図１０】第２実施例の制御信号増幅手段を用いた場合と、用いない場合のコントローラから出力される制御信号の波形を比較して説明するための説明図である。
【符号の説明】
２  送風装置
３  電動機
４  送風ファン
６  操作盤
７  コントローラ
８  操作部
２０  第１の制御信号増幅手段
３０  第２の制御信号増幅手段
２ａ  運転／停止スイッチ
２ｂ  一括／個別切替スイッチ
２ｃ  自動／手動切替スイッチ
２ｄ１，２ｄ２  設定キー
２ｅ  確定キー
２ｆ  表示ランプ（風量レベル）
２ｇ  表示ランプ（温度制御パターン）
２ｈ  表示器
【図１】
2004257281.tif 000003
【図２】
2004257281.tif 000004
【図３】
2004257281.tif 000005
【図４】
2004257281.tif 000006
【図５】
2004257281.tif 000007
【図６】
2004257281.tif 000008
【図７】
2004257281.tif 000009
【図８】
2004257281.tif 000010
【図９】
2004257281.tif 000011
【図１０】
2004257281.tif 000012